【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
下記式［１］で表わされる化学組成を有し、かつ、
下記式［１］における、ＭI元素全体に対するＢａ及びＳｒのモル比をそれぞれ［Ｂａ］及び［Ｓｒ］とした場合に、［Ｂａ］及び［Ｓｒ］が、０．５＜｛［Ｂａ］／（［Ｂａ］＋［Ｓｒ］）｝≦１を満たす
蛍光体を製造する方法であって、
酸素濃度が１００ｐｐｍ以下の雰囲気下で蛍光体前駆体を焼成する工程を有し、
かつ、フラックスを共存させて焼成する
ことを特徴とする、蛍光体の製造方法。
【化１】
2008088399.tif 000001
（前記式［１］中、
ＭIは、少なくともＢａ及びＳｒを含有する、Ｂａ、Ｃａ、Ｓｒ、Ｚｎ及びＭｇからなる群より選ばれる２種以上の元素を表わし、ＭIとしてＣａを含有する場合にはＣａによる置換量がモル比率の値で１０％以下であり、
ＭIIは、希土類元素からなる群から選ばれる１種以上の付活元素を表わし、
ｘ、α及びβは、各々、
０．０１＜ｘ＜０．３、
１．５≦α≦２．５、及び、
３．５≦β≦４．５を満たす数を表わす。）
【請求項２】
前記ＭIIが、Ｅｕである
ことを特徴とする、請求項１記載の蛍光体の製造方法。
【請求項３】
強還元性雰囲気下で前記蛍光体前駆体を焼成する
ことを特徴とする、請求項１又は請求項２に記載の蛍光体の製造方法。
【請求項４】
固体カーボンを共存させることにより、強還元性雰囲気下とする
ことを特徴とする、請求項３記載の蛍光体の製造方法。
【請求項５】
前記フラックスが、アルカリ金属ハロゲン化物、及びアルカリ土類金属ハロゲン化物からなる群から選ばれる、少なくとも１種の化合物を用いる
ことを特徴とする、請求項１〜４の何れか一項に記載の蛍光体の製造方法。
【請求項６】
結晶成長促進作用を有するフラックスと結晶成長抑制作用を有するフラックスとを組み合わせて用いる
ことを特徴とする、請求項１〜５の何れか一項に記載の蛍光体の製造方法。
【請求項７】
前記式［１］に記載された元素以外に、前記蛍光体が、更にＴｂ、Ａｇ、Ｌａ、Ｓｍ、及びＰｒからなる群から選ばれる１種以上の元素を含有し、これらの元素の含有量の合計が蛍光体１モルに対し０．０００１モル％以上である
ことを特徴とする、請求項１〜６の何れか一項に記載の蛍光体の製造方法。
【手続補正２】
【補正対象書類名】明細書
【補正対象項目名】００１９
【補正方法】変更
【補正の内容】
【００１９】
本発明の要旨は、特に下記式［１］で表わされる化学組成を有するとともに、物体色をＬ*ａ*ｂ*表色系で表わした場合に、Ｌ*、ａ*、及びｂ*が、それぞれ
Ｌ*≧９０、
ａ*≦−２０、
ｂ*≧３０、及び
｛ａ*／ｂ*｝≦−０．４５
を満たすことを特徴とする、蛍光体に存する。
【化１】
2008088399.tif 000002
（前記式［１］中、
ＭIは、Ｂａ、Ｃａ、Ｓｒ、Ｚｎ及びＭｇからなる群より選ばれる１種以上の元素を表わす。
ＭIIは、２価及び３価の原子価を取り得る１種以上の金属元素を表わす。
ｘ、α及びβは各々、
０．０１＜ｘ＜０．３、
１．５≦α≦２．５、及び、
３．５≦β≦４．５
を満たす数を表わす。）
【手続補正３】
【補正対象書類名】明細書
【補正対象項目名】００２０
【補正方法】変更
【補正の内容】
【００２０】
ここで、フラックス存在下で蛍光体前駆体を焼成することにより得られたものであることが好ましい。
【手続補正４】
【補正対象書類名】明細書
【補正対象項目名】００２１
【補正方法】変更
【補正の内容】
【００２１】
また、強還元性雰囲気下で蛍光体前駆体を焼成することにより得られたものであることが好ましい。
【手続補正５】
【補正対象書類名】明細書
【補正対象項目名】００２２
【補正方法】変更
【補正の内容】
【００２２】
また、前記式［１］において、ＭIが少なくともＢａを含有するとともに、ＭI全体に対するＢａのモル比が０．５以上、１未満であることが好ましい。
【手続補正６】
【補正対象書類名】明細書
【補正対象項目名】００２３
【補正方法】変更
【補正の内容】
【００２３】
また、前記式［１］において、ＭIが少なくともＢａ及びＳｒを含有するとともに、ＭI全体に対するＢａ及びＳｒのモル比をそれぞれ［Ｂａ］及び［Ｓｒ］とした場合に、［Ｂａ］及び［Ｓｒ］が、
０．５＜｛［Ｂａ］／（［Ｂａ］＋［Ｓｒ］）｝≦１
を満たすことが好ましい。
【手続補正７】
【補正対象書類名】明細書
【補正対象項目名】００２４
【補正方法】変更
【補正の内容】
【００２４】
また、該蛍光体の重量メジアン径が１０μｍ以上、３０μｍ以下であることが好ましい。
【手続補正８】
【補正対象書類名】明細書
【補正対象項目名】００２５
【補正方法】変更
【補正の内容】
【００２５】
また、前記式［１］に記載された元素以外に、更に、１価の元素、２価の元素、３価の元素、−１価の元素、及び−３価の元素からなる群から選ばれる少なくとも１種の元素を含有し、これらの元素の含有量の合計が１ｐｐｍ以上であることが好ましい。
【手続補正９】
【補正対象書類名】明細書
【補正対象項目名】００２６
【補正方法】変更
【補正の内容】
【００２６】
中でも、前記式［１］に記載された元素以外に、更に、アルカリ金属元素、アルカリ土類金属元素、亜鉛（Ｚｎ）、イットリウム（Ｙ）、アルミニウム（Ａｌ）、スカンジウム（Ｓｃ）、リン（Ｐ）、窒素（Ｎ）、希土類元素及びハロゲン元素からなる群から選ばれる少なくとも１種の元素を含有し、これらの元素の含有量の合計が１ｐｐｍ以上であることが好ましい。
また、前記式［１］に記載された元素以外に、更に、Ｔｂ、Ａｇ、Ｌａ、Ｓｍ、及びＰｒからなる群から選ばれる１種以上の元素を含有し、これらの元素の含有量の合計が蛍光体１モルに対し０．０００１モル％以上であることが好ましい。
【手続補正１０】
【補正対象書類名】明細書
【補正対象項目名】００２７
【補正方法】変更
【補正の内容】
【００２７】
また、本発明の別の要旨は、上述の蛍光体を製造する方法であって、酸素濃度が１００ｐｐｍ以下の雰囲気下で蛍光体前駆体を焼成する工程を有することを特徴とする、蛍光体の製造方法に存する。
【手続補正１１】
【補正対象書類名】明細書
【補正対象項目名】００２８
【補正方法】変更
【補正の内容】
【００２８】
また、本発明の別の要旨は、上述の蛍光体を製造する方法であって、固体カーボンの共存下で蛍光体前駆体を焼成する工程を有することを特徴とする、蛍光体の製造方法に存する。
【手続補正１２】
【補正対象書類名】明細書
【補正対象項目名】００２９
【補正方法】変更
【補正の内容】
【００２９】
ここで、ＭI源、ＭII源、及びＳｉ源以外に、更に、１価の元素又は原子団と−１価の元素とを含有する化合物、１価の元素又は原子団と−３価の元素又は原子団とを含有する化合物、２価の元素と−１価の元素とを含有する化合物、２価の元素と−３価の元素又は原子団とを含有する化合物、３価の元素と−１価の元素とを含有する化合物、並びに、３価の元素と−３価の元素又は原子団とを含有する化合物からなる群から選ばれる２種以上の化合物を用いることが好ましい。
【手続補正１３】
【補正対象書類名】明細書
【補正対象項目名】００３０
【補正方法】変更
【補正の内容】
【００３０】
また、ＭI源、ＭII源、及びＳｉ源以外に、更にアルカリ金属ハロゲン化物、アルカリ土類金属ハロゲン化物、亜鉛ハロゲン化物、Ｙ、Ａｌ、Ｓｃ、及び希土類元素からなる群から選ばれる３価の元素のハロゲン化物、アルカリ金属リン酸塩、アルカリ土類金属リン酸塩、リン酸亜鉛、Ｙ、Ａｌ、Ｌａ、及びＳｃからなる群から選ばれる３価の元素のリン酸塩からなる群から選ばれる２種以上の化合物を用いることが好ましい。
【手続補正１４】
【補正対象書類名】明細書
【補正対象項目名】００３１
【補正方法】変更
【補正の内容】
【００３１】
また、結晶成長促進作用を有するフラックスと結晶成長抑制作用を有するフラックスとを組み合わせて用いることが好ましい。
【手続補正１５】
【補正対象書類名】明細書
【補正対象項目名】００３２
【補正方法】変更
【補正の内容】
【００３２】
また、本発明の別の要旨は、上述の蛍光体と、液体媒体とを含有することを特徴とする、蛍光体含有組成物に存する。
【手続補正１６】
【補正対象書類名】明細書
【補正対象項目名】００３３
【補正方法】変更
【補正の内容】
【００３３】
また、第１の発光体と、該第１の発光体からの光の照射によって可視光を発する第２の発光体とを備え、該第２の発光体が、上述の蛍光体を少なくとも１種以上、第１の蛍光体として含有することを特徴とする、発光装置に存する。
【手続補正１７】
【補正対象書類名】明細書
【補正対象項目名】００３４
【補正方法】変更
【補正の内容】
【００３４】
ここで、前記第２の発光体が、前記第１の蛍光体とは発光ピーク波長の異なる少なくとも１種以上の蛍光体を、第２の蛍光体として含有することが好ましい。
【手続補正１８】
【補正対象書類名】明細書
【補正対象項目名】００３５
【補正方法】変更
【補正の内容】
【００３５】
この場合、前記第１の発光体が、４２０ｎｍ以上５００ｎｍ以下の範囲に発光ピークを有し、前記第２の発光体が、前記第２の蛍光体として、５７０ｎｍ以上７８０ｎｍ以下の範囲に発光ピークを有する少なくとも一種の蛍光体を含有することが好ましい。
【手続補正１９】
【補正対象書類名】明細書
【補正対象項目名】００３６
【補正方法】変更
【補正の内容】
【００３６】
また、前記第１の発光体が、３００ｎｍ以上４２０ｎｍ以下の範囲に発光ピークを有し、前記第２の発光体が、前記第２の蛍光体として、４２０ｎｍ以上４７０ｎｍ以下の範囲に発光ピークを有する少なくとも一種の蛍光体と、５７０ｎｍ以上７８０ｎｍ以下の範囲に発光ピークを有する少なくとも一種の蛍光体とを含有することも好ましい。
【手続補正２０】
【補正対象書類名】明細書
【補正対象項目名】００３７
【補正方法】変更
【補正の内容】
【００３７】
また、前記第１の発光体が４２０ｎｍ以上５００ｎｍ以下の範囲に発光ピークを有し、前記第２の発光体が、前記第２の蛍光体として、５８０ｎｍ以上６２０ｎｍ以下の範囲に発光ピークを有する少なくとも１種の蛍光体を含有することも好ましい。
【手続補正２１】
【補正対象書類名】明細書
【補正対象項目名】００３８
【補正方法】変更
【補正の内容】
【００３８】
また、本発明の別の要旨は、上述の発光装置を光源として備えることを特徴とする、画像表示装置に存する。
【手続補正２２】
【補正対象書類名】明細書
【補正対象項目名】００３９
【補正方法】変更
【補正の内容】
【００３９】
また、本発明の別の要旨は、上述の発光装置を光源として備えることを特徴とする、照明装置に存する。
また、本発明の要旨は、前記式［１］で表わされる化学組成を有し、かつ、
前記式［１］における、ＭI元素全体に対するＢａ及びＳｒのモル比をそれぞれ［Ｂａ］及び［Ｓｒ］とした場合に、［Ｂａ］及び［Ｓｒ］が、０．５＜｛［Ｂａ］／（［Ｂａ］＋［Ｓｒ］）｝≦１を満たす蛍光体を製造する方法であって、酸素濃度が１００ｐｐｍ以下の雰囲気下で蛍光体前駆体を焼成する工程を有し、かつ、フラックスを共存させて焼成する
ことを特徴とする、蛍光体の製造方法に存する（請求項１）。
（前記式［１］中、
ＭIは、少なくともＢａ及びＳｒを含有する、Ｂａ、Ｃａ、Ｓｒ、Ｚｎ及びＭｇからなる群より選ばれる２種以上の元素を表わし、ＭIとしてＣａを含有する場合にはＣａによる置換量がモル比率の値で１０％以下であり、
ＭIIは、希土類元素からなる群から選ばれる１種以上の付活元素を表わし、
ｘ、α及びβは、各々、
０．０１＜ｘ＜０．３、
１．５≦α≦２．５、及び、
３．５≦β≦４．５を満たす数を表わす。）
上記製造方法において、前記ＭIIが、Ｅｕであることが好ましい（請求項２）。
さらに、強還元性雰囲気下で前記蛍光体前駆体を焼成することが好ましく（請求項３）、固体カーボンを共存させることにより、強還元性雰囲気下とすることが好ましい（請求項４）。
また、前記フラックスが、アルカリ金属ハロゲン化物、及びアルカリ土類金属ハロゲン化物からなる群から選ばれる、少なくとも１種の化合物を用いることが好ましい（請求項５）。
また上記蛍光体の製造方法においては、結晶成長促進作用を有するフラックスと結晶成長抑制作用を有するフラックスとを組み合わせて用いることが好ましい（請求項６）。
また前記式［１］に記載された元素以外に、前記蛍光体が、更にＴｂ、Ａｇ、Ｌａ、Ｓｍ、及びＰｒからなる群から選ばれる１種以上の元素を含有し、これらの元素の含有量の合計が蛍光体１モルに対し０．０００１モル％以上であることが好ましい（請求項７）。